(57)【要約】  【課題】    足部の保温、マッサージ、殺菌、振動回避及び除臭の効果がある、加熱機能を備えた靴の提供。  【解決手段】    加熱機能を備えた靴であって、主に、靴面、靴底、熱伝導電極片及び熱伝導液または熱伝導粉液から構成され、該靴底内部に熱伝導電極片及び熱伝導液または熱伝導粉液が設置され、該靴底の側面に充電座体外殼、充電座体内殼、温度制御器及び入力端子が設置され、上述の構造により熱伝導電極片が熱伝導液または熱伝導粉液に対して加熱を行い、足部の保温、マッサージ、殺菌、振動回避及び除臭の効果が得られる。  【選択図】    図１ 
0003109476.tif 000002
【実用新案登録請求の範囲】
【請求項１】
主に、靴面、靴底、熱伝導電極片、電源接続線及び熱伝導液から構成され、そのうち、該靴底の内部に水液が通過しない性質の収納空間を設け、該収納空間内に熱伝導電極片を設置し、且つ、該収納空間内に熱伝導液を入れ、該靴底の側面に充電座体外殼、充電座体内殼を設け、該充電座体外殼及び充電座体内殼は靴底の外側と内側に挟み込む方式でそれぞれ設置され、該充電座体内殼の片側に注入孔を設け、該充電座体内殼の片側に温度制御器を設置し、該充電座体外殼上に凹み槽25を形成し、該凹み槽内に柱体及び３つの入力端子を設け、該３つの入力端子は熱伝導電極片及び温度制御器とそれぞれ電気的に接続されると共に、該電源接続線の一端にプラグを設け、別の一端に充電プラグ及び後部カバーを設置し、該充電プラグは該凹み槽と相互に対応しており、さらに、該充電プラグの片側に挿入孔及び３つの出力端子が設置され、該挿入孔及び３つの出力端子はそれぞれ柱体及び３つの入力端子と相互に対応しており、さらに、該充電プラグ内部に発光ダイオード及び抵抗器を設置し、該挿入孔の下方にマイクロスイッチを設け、該発光ダイオード、抵抗器及びマイクロスイッチはそれぞれ該３つの出力端子と電気的に接続されることを特徴とした加熱機能を備えた靴。
【請求項２】
前記のうち、該収納空間内に熱伝導性粉体を含む液体である熱伝導粉液を入れた請求項１に記載の加熱機能を備えた靴。
【考案の詳細な説明】
【技術分野】
【０００１】
本考案は加熱機能を備えた靴に関し、特に、足部の保温、マッサージ、殺菌、振動回避及び除臭の効果がある、加熱機能を備えた靴に関する。
【背景技術】
【０００２】
製靴工業の迅速な進歩により、現代人は一般的に何足もの靴を持っている。靴は人類の足部を保護し、我々の足で険しく凹凸のある山野を越えたり、冷たい河流を渡ったりすることを可能にする。寒冷地帯に生活する人々にとって、足部の保温は最も重要であり、保温機能を備えた靴は欠かすことができない。
【０００３】
しかしながら、従来の靴は主に靴面及び靴底から構成され、靴面は一般的に皮革または合成皮革などから成り、靴底はほとんどがゴムや皮革から成っており、該靴面及び靴底は単層のみまたは中敷を付けただけの構造であり、人体の温度を利用して保温するのみであるため、効果的に足部の保温をすることができない。
【考案の開示】
【考案が解決しようとする課題】
【０００４】
本考案は、従来の靴の構造における欠点に鑑みて、考案者の該項事業における長年の経験に基づき研究を重ね、斬新な加熱機能を備えた靴を提供するものである。
【０００５】
本考案の主な目的は、足部の保温、マッサージ、殺菌、振動回避及び除臭の効果がある、加熱機能を備えた靴を提供することにある。
【課題を解決するための手段】
【０００６】
上述の目的を達するため、本考案の加熱機能を備えた靴は、主に、靴面、靴底、熱伝導電極片、電源接続線及び熱伝導液から構成され、そのうち、該靴底の内部に該熱伝導電極片及び熱伝導液または熱伝導粉液が設置され、該靴底の側面に充電座体外殼、充電座体内殼、温度制御器及び入力端子を設置し、該充電座体の片側に注入孔を設け、さらに電源線を設けると共に、該電源線の一端に充電プラグ及び出力端子を設けることを特徴とする。
【考案の効果】
【０００７】
上述の構造により、本考案の加熱機能を備えた靴は、該充電プラグを充電座体内に挿入し、熱伝導電極片により靴底内の液体に対して加熱を行い、該液体が適当な温度に達した後、該温度制御器は電源入力を停止し、使用者は充電プラグを充電座体から抜き取り、本考案の靴をはくことができる。液体の温度が足部を温かく保ち、且つ、該液体は足部のマッサージ作用があり、加熱により保温、殺菌、除臭、振動回避の効果が得られる。      
【考案を実施するための最良の形態】
【０００８】
本考案の構造、装置及びその特徴について、以下最良の実施例と図面に基づき詳細に説明する。
【０００９】
図１、図２、図３、図４に示すように、本考案の加熱機能を備えた靴は、主に靴面1、靴底2、電源接続線3及び熱伝導液4から構成される。
【００１０】
該靴底2の内部に水液が通過しない性質の収納空間を設け、該収納空間内に熱伝導電極片20を設置し、且つ、該収納空間内に熱伝導液4をいれる。該靴底2の側面に充電座体外殼21及び充電座体内殼22を設け、該充電座体外殼21及び充電座体内殼22は靴底2の外側及び内側に挟み込む方式でそれぞれ設置され、該充電座体内殼22の片側に注入孔23を設け、該充電座体内殼22の片側に温度制御器24を設置する。該充電座体外殼21上に凹み槽25を形成し、該凹み槽25内に柱体26及び３つの入力端子27を設け、さらに該３つの入力端子27は熱伝導電極片20及び温度制御器24とそれぞれ電気的に接続される。
【００１１】
該電源接続線3の一端にプラグ30を設け、別の一端に充電プラグ31及び後部カバー37を設置し、該充電プラグ31は該凹み槽25と相互に対応しているものとする。該充電プラグ31の片側に挿入孔32及び３つの出力端子33が設置され、該挿入孔32及び３つの出力端子33はそれぞれ柱体26及び３つの入力端子27と相互に対応しているものとする。該充電プラグ31内部に発光ダイオード34及び抵抗器35が設置され、さらに該挿入孔32の下方にマイクロスイッチ36を設け、該発光ダイオード34、抵抗器35及びマイクロスイッチ36はそれぞれ該３つの出力端子33と電気的に接続される。
【００１２】
上述の構造により、本考案の加熱機能を備えた靴は、該靴底2の注入孔23より熱伝導液4を収納空間内に注入し、その後充電プラグ31及びプラグ30をそれぞれ凹み槽25及び電源コンセント内に挿入し、同時に柱体26及び３つの入力端子27をそれぞれ挿入孔32及び３つの出力端子33内に挿入する。該柱体26を挿入孔32に挿入した後、マイクロスイッチ36が起動され、該電源コンセントが出力する電流が出力端子33及び入力端子27を経て熱伝導電極片20へ送られ、さらに熱伝導液4の導電性を利用して温度制御器24、マイクロスイッチ36及び熱伝導電極片20に電流回路が形成され、熱伝導電極片20間で電流の伝導が行われ、電流の電力を熱に転換し、収納空間内の熱伝導液4に対して加熱が行われる。該熱伝導液4は優れた熱伝導性を備え、熱が均一且つ迅速に拡散される。加熱時に該発光ダイオード34が点灯し、適当な温度まで加熱されると、該温度制御器24が電流回路を切断し、電流が熱伝導電極片20に流れなくなり、熱伝導液4の加熱が停止され、発光ダイオードが消灯し、使用者に該靴底2収納空間内の熱伝導液4の加熱が完了したことを知らせる。使用者は、充電プラグ31を抜き、本考案の靴をはくと、足部の保温効果が得られる。
【００１３】
さらに、上述の熱伝導液4は熱伝導性粉体を含む液体とすることができ、それにより、その加熱時の温度上昇速度がより速くなり、温度を維持できる時間がより長くなる。
【００１４】
また、本考案の加熱機能を備えた靴はその加熱時において、靴の中の細菌を高温により消滅させ、且つ、靴の内部に残留する匂いを迅速に揮発させ、殺菌、除臭及び振動回避の効果を得ることができる。
【００１５】
このほか、本考案の加熱機能を備えた靴は、靴底内部の液体が使用者の歩みの移動に伴い絶え間なく循環・流動するため、足部のマッサージ効果も得ることができる。
上述のように、本考案の「加熱機能を備えた靴は、確実に足部の保温、マッサージ、殺菌、振動回避及び除臭の効果を得ることができ、実用性と進歩性を兼ね備えているため、特許法に基づき、ここに実用新案登録を出願するものである。
【図面の簡単な説明】
【００１６】
【図１】本考案の立体分解図である。
【図２】本考案の側面透視図である。
【図３】本考案の立体部分拡大図である。
【図４】本考案の立体分解部分拡大図である。
【符号の説明】
【００１７】
1        靴面
2        靴底
3        電源接続線
4        熱伝導液
20      熱伝導電極片
21      充電座体外殼
22      充電座体内殼     
23      注入孔
24      温度制御器
25      凹み槽
26      柱
27      入力端子
30      プラグ
31      充電プラグ
32      挿入孔
33      出力端子
34      発光ダイオード
35      抵抗器
36      マイクロスイッチ
37      後部カバー
【図１】
0003109476.tif 000003
【図２】
0003109476.tif 000004
【図３】
0003109476.tif 000005
【図４】
0003109476.tif 000006